(57)【要約】【課題】文書データの送信および蓄積を他人に依頼する場合でも、原稿に対する機密性を高めることのできる画像形成装置、該画像形成装置の制御方法および制御プログラム、ならびに、画像形成システムを提供すること。【解決手段】画像形成装置は、第１および第２の認証情報が付加された原稿画像を読取ると（Ｓ１０４）、読取った原稿画像から第１および第２の認証情報を検出する（Ｓ１０６）。ユーザから認証用のパスワードの入力を受付けると（Ｓ１１０）、入力されたパスワードと検出された第１の認証情報とを用いて、認証処理を行なう（Ｓ１１１）。認証が成功すると（Ｓ１１２においてＹＥＳ）、検出された第２の認証情報を用いて、読取られた原稿画像を暗号化する（Ｓ１１４）。【選択図】図５
2010004126.tif 000002
【特許請求の範囲】
【請求項１】
第１および第２の認証情報が付加された原稿画像を読取るための読取手段と、
前記読取手段により読取られた原稿画像から前記第１および第２の認証情報を検出するための認証情報検出手段と、
認証用のパスワードの入力を受付けるための入力手段と、
入力されたパスワードと検出された前記第１の認証情報とを用いて、認証処理を行なうための認証処理手段と、
前記認証処理手段により認証された場合に、検出された前記第２の認証情報を用いて、前記読取られた原稿画像を暗号化する暗号化処理手段とを備える、画像形成装置。
【請求項２】
前記第１および第２の認証情報は、地紋情報である、請求項１に記載の画像形成装置。
【請求項３】
前記認証処理手段にて認証が失敗した場合には、前記読取られた画像を破棄する、請求項１または２に記載の画像形成装置。
【請求項４】
前記入力手段は、さらに、前記原稿画像に対する処理方法として、スキャン送信および保存のうち少なくとも一方の入力を受付け、
前記入力手段より入力された前記処理方法に応じて、前記暗号化処理手段により暗号化された原稿画像をスキャン送信または保存するための出力処理手段をさらに備える、請求項１〜３のいずれかに記載の画像形成装置。
【請求項５】
画像読取部を備えた画像形成装置の制御方法であって、
第１および第２の認証情報が付加された原稿画像を読取るステップと、
読取られた原稿画像から前記第１および第２の認証情報を検出するステップと、
認証用のパスワードの入力を受付けるステップと、
入力されたパスワードと検出された前記第１の認証情報とを用いて、認証処理を行なうステップと、
認証された場合に、検出された前記第２の認証情報を用いて、前記読取られた原稿画像を暗号化するステップとを備える、画像形成装置の制御方法。
【請求項６】
画像読取部を備えた画像形成装置に実行させる制御プログラムであって、
前記制御プログラムは、
第１および第２の認証情報が付加された原稿画像を読取るステップと、
読取られた原稿画像から前記第１および第２の認証情報を検出するステップと、
認証用のパスワードの入力を受付けるステップと、
入力されたパスワードと検出された前記第１の認証情報とを用いて、認証処理を行なうステップと、
認証された場合に、検出された前記第２の認証情報を用いて、前記読取られた原稿画像を暗号化するステップとを含む、制御プログラム。
【請求項７】
画像形成装置と、前記画像形成装置とネットワークを介して接続されるサーバとを備えた画像形成システムであって、
前記画像形成装置は、
第１の認証情報に対応する原稿識別情報が付加された原稿画像を読取るための読取手段と、
前記読取手段により読取られた原稿画像から前記原稿識別情報を検出するための認証情報検出手段と、
第２の認証情報に対応する認証用のパスワードの入力を受付けるための入力手段と、
検出された前記原稿識別情報と入力されたパスワードとを前記サーバに送信するための送信手段と、
前記サーバより第３の認証情報を受信した場合には、前記第３の認証情報を用いて、前記読取られた原稿画像を暗号化する暗号化処理手段とを含み、
前記サーバは、
予め、原稿画像ごとに、原稿識別情報と対応付けて、前記第２の識別情報および前記第３の認証情報を記憶するための記憶手段と、
前記画像形成装置より前記検出された原稿識別情報と前記入力されたパスワードとを受信した場合に、前記記憶手段において前記検出された原稿識別情報と対応付けられて記憶された前記第２の識別情報と、前記入力されたパスワードとに基づいて、認証処理を行なうための認証処理手段と、
前記認証処理手段により認証された場合に、前記記憶手段において前記原稿識別情報と対応付けられて記憶された前記第３の認証情報を、前記画像形成装置に送信するための送信手段とを含む、画像形成システム。
【発明の詳細な説明】
【技術分野】
【０００１】
本発明は、画像形成装置、画像形成装置の制御方法および制御プログラム、ならびに、画像形成システムに関し、特に、認証処理を行なう画像形成装置、該画像形成装置の制御方法および制御プログラム、ならびに、画像形成システムに関する。
【背景技術】
【０００２】
近年、紙媒体の機密文書のセキュリティ向上が要求されており、印刷物に地紋情報を付加することで再利用する際の制限を行なうことが可能となっている。一方で、紙媒体の機密文書を第三者に渡す際に、ＭＦＰ（Multi Function Peripherals）のスキャン送信機能にて受け渡しすることが可能となっている。このような場合に、暗号化した文書データを受け渡しすることで、セキュリティの向上が図られている。
【０００３】
ただし、暗号化パスワードは、送信者が設定しており、送信業務を庶務などに依頼する場合は、その暗号化パスワードを含めて依頼する必要がある。したがって、より機密性を高めるためには、送信業務を依頼された人では閲覧できないようにする必要があった。
【０００４】
特許文献１には、文書を取扱う機能に制限を設定した文書に変換して送信および蓄積することが記載されている。
【特許文献１】特開２００７−６７８４０号公報
【発明の開示】
【発明が解決しようとする課題】
【０００５】
特許文献１の技術を適用したとしても、送信および蓄積を実施する人が機能制限を設定するため、送信および蓄積業務を第三者に依頼する場合の機密性が確保されていない。
【０００６】
本発明は、上記のような問題を解決するためになされたものであって、その目的は、文書データの送信および蓄積を他人に依頼する場合でも、原稿に対する機密性を高めることのできる画像形成装置、該画像形成装置の制御方法および制御プログラム、ならびに、画像形成システムを提供することである。
【課題を解決するための手段】
【０００７】
この発明のある局面に従う画像形成装置は、第１および第２の認証情報が付加された原稿画像を読取るための読取手段と、読取手段により読取られた原稿画像から第１および第２の認証情報を検出するための認証情報検出手段と、認証用のパスワードの入力を受付けるための入力手段と、入力されたパスワードと検出された第１の認証情報とを用いて、認証処理を行なうための認証処理手段と、認証処理手段により認証された場合に、検出された第２の認証情報を用いて、読取られた原稿画像を暗号化する暗号化処理手段とを備える。
【０００８】
好ましくは、第１および第２の認証情報は、地紋情報である。
好ましくは、認証処理手段にて認証が失敗した場合には、読取られた画像を破棄する。
【０００９】
好ましくは、入力手段は、さらに、原稿画像に対する処理方法として、スキャン送信および保存のうち少なくとも一方の入力を受付け、入力手段より入力された処理方法に応じて、暗号化処理手段により暗号化された原稿画像をスキャン送信または保存するための出力処理手段をさらに備える。
【００１０】
この発明の他の局面に従う画像形成装置の制御方法は、画像読取部を備えた画像形成装置の制御方法であって、第１および第２の認証情報が付加された原稿画像を読取るステップと、読取られた原稿画像から第１および第２の認証情報を検出するステップと、認証用のパスワードの入力を受付けるステップと、入力されたパスワードと検出された第１の認証情報とを用いて、認証処理を行なうステップと、認証された場合に、検出された第２の認証情報を用いて、読取られた原稿画像を暗号化するステップとを備える。
【００１１】
この発明のさらに他の局面に従う画像形成装置の制御プログラムは、画像読取部を備えた画像形成装置に実行させる制御プログラムであって、制御プログラムは、第１および第２の認証情報が付加された原稿画像を読取るステップと、読取られた原稿画像から第１および第２の認証情報を検出するステップと、認証用のパスワードの入力を受付けるステップと、入力されたパスワードと検出された第１の認証情報とを用いて、認証処理を行なうステップと、認証された場合に、検出された第２の認証情報を用いて、読取られた原稿画像を暗号化するステップとを含む。
【００１２】
この発明のさらに他の局面に従う画像形成システムは、画像形成装置と、画像形成装置とネットワークを介して接続されるサーバとを備えた画像形成システムであって、画像形成装置は、第１の認証情報に対応する原稿識別情報が付加された原稿画像を読取るための読取手段と、読取手段により読取られた原稿画像から原稿識別情報を検出するための認証情報検出手段と、第２の認証情報に対応する認証用のパスワードの入力を受付けるための入力手段と、検出された原稿識別情報と入力されたパスワードとをサーバに送信するための送信手段と、サーバより第３の認証情報を受信した場合には、第３の認証情報を用いて、読取られた原稿画像を暗号化する暗号化処理手段とを含み、サーバは、予め、原稿画像ごとに、原稿識別情報と対応付けて、第２の識別情報および第３の認証情報を記憶するための記憶手段と、画像形成装置より検出された原稿識別情報と入力されたパスワードとを受信した場合に、記憶手段において検出された原稿識別情報と対応付けられて記憶された第２の識別情報と、入力されたパスワードとに基づいて、認証処理を行なうための認証処理手段と、認証処理手段により認証された場合に、記憶手段において原稿識別情報と対応付けられて記憶された第３の認証情報を、画像形成装置に送信するための送信手段とを含む。
【発明の効果】
【００１３】
本発明によると、機密文書の読込を実施するユーザ（たとえば庶務）と、機密文書の複製物を作成および閲覧するユーザとで異なる認証情報を用いるため、機密文書の機密性を高めることができる。
【発明を実施するための最良の形態】
【００１４】
本発明の実施の形態について図面を参照しながら詳細に説明する。なお、図中同一または相当部分には同一符号を付してその説明は繰返さない。
【００１５】
［実施の形態１］
本実施の形態では、第１および第２の認証情報が関連付けられた原稿に対して、第１の認証情報は原稿を読込み送信および保存することを認証し、第２の認証情報は読込んだ原稿を暗号化する際に利用することで、原稿（機密文書）に対する機密性を高める。
【００１６】
＜構成について＞
図１は、本発明の実施の形態１における画像形成システム１の概略構成を示す図である。
【００１７】
図１を参照して、画像形成システム１は、画像形成装置１００と、複数のクライアントＰＣ３００Ａ，Ｂ，Ｃと、サーバ４００とを備える。これらの装置は、互いに、ネットワーク２を介して接続される。なお、サーバ４００は、後述する実施の形態２の説明のために記している。
【００１８】
図２は、本発明の実施の形態１における画像形成装置１００のハードウェア構成を示すブロック図である。画像形成装置１００は、ＭＦＰである。
【００１９】
図２を参照して、画像形成装置１００は、制御部２０１と、ＨＤＤ（Hard Disk Drive）部２０５と、画像読取部２０６と、ネットワークＩ／Ｆ（インターフェイス）２０７と、プリントエンジン２０８と、操作パネル部２０９と、通信Ｉ／Ｆ２１３とを備え、各ハードウェアは、バス２１０によって接続される。
【００２０】
制御部２０１は、各種の演算処理を行なうＣＰＵ（Central Processing Unit）２０２と、予めプログラムやデータを記憶するためのＲＯＭ（Read Only Memory）２０３と、作業データや実行するプログラムを一時的に記録するためのＲＡＭ（Random Access Memory）２０４とを含む。
【００２１】
ＨＤＤ部２０５は、各種データやプログラムを不揮発的に記憶する。画像読取部２０６は、原稿画像を読取る。ネットワークＩ／Ｆ２０７は、ネットワーク（通信網）２と接続され、クライアントＰＣ３００、および、サーバ４００と、データやプログラムを授受する。通信Ｉ／Ｆ２１３は、電話網（図示せず）と接続される。
【００２２】
プリントエンジン２０８は、モータを含み、ネットワークＩ／Ｆ２０７が受信した印刷指令に基づく画像を紙などの記録媒体に印刷し、画像形成された記録媒体を排出部（図示せず）に排出する。
【００２３】
操作パネル部２０９は、情報の表示、および、ユーザからの指示の受け付けを行なう。操作パネル部２０９の外観の一例を図３に示す。図３は、本発明の実施の形態１における画像形成装置１００の操作パネル部２０９の一例を示す図である。
【００２４】
図３を参照して、操作パネル部２０９は、各種情報を表示するための表示領域２０９１および各種指示の入力を受付けるための操作ボタン２０９２を含む。
【００２５】
なお、画像形成装置１００は、着脱可能な記録媒体（たとえばメモリカードなど）２１６に記録されたプログラムやデータを読取るための読取部２１５をさらに備えることが好ましい。読取部２１５により読取られたプログラムやデータは、たとえばＨＤＤ部２０５に記憶される。
【００２６】
図４は、本発明の実施の形態１におけるクライアントＰＣ３００およびサーバ４００のハードウェア構成を示すブロック図である。
【００２７】
図４を参照して、各クライアントＰＣ３００は、装置全体を制御するＣＰＵ３０１と、ＲＯＭ３０３と、ＲＡＭ３０５と、ＨＤＤ３０７と、ＦＤＤ（Flexible Disk Drive）やＣＤ−ＲＯＭ（Compact Disk-Read Only Memory）ドライブなど記録媒体３から情報を読取る読取部３０９と、キーボードやマウスなどにより構成される入力部３１１と、ネットワーク２に接続したり外部と通信を行なったりするための通信部３１３と、表示部３１５とを含む。
【００２８】
サーバ４００も同様に、ＣＰＵ４０１と、ＲＯＭ４０３と、ＲＡＭ４０５と、ＨＤＤ４０７と、読取部４０９と、入力部４１１と、通信部４１３と、表示部４１５とを含む。
【００２９】
＜動作について＞
はじめに、クライアントＰＣ３００および画像形成装置１００において実行される動作の概略について説明する。
【００３０】
各クライアントＰＣ３００は、アプリケーションソフト等により原稿画像を作成するとともに、作成した原稿画像の認証に用いる第１および第２の認証情報の入力をユーザ（代表的に、原稿作成者）より受け付ける。そして、作成した原稿画像の印刷指令とともに、第１および第２の認証情報を、ネットワーク２を介して画像形成装置１００に送信する。本実施の形態において、原稿に付加される複数の認証情報は、たとえば地紋情報である。
【００３１】
画像形成装置１００は、原稿画像に対し、複数の認証情報を付加する処理を行なった上で、該原稿画像を紙などの記録媒体に形成して出力する。さらに、画像形成装置１００は、当該原稿画像を読取った場合に、予め付加されていた第１および第２の認証情報に基づいて、原稿読取りを操作するユーザ（代表的に庶務など、原稿作成者とは異なるユーザ）の認証、および、読取った原稿を暗号化する処理を実行する。
【００３２】
以下に、読取った原稿画像が機密文書である場合には、原稿画像に、予め２つの認証情報が地紋情報として埋め込まれていることを前提として、画像形成装置１００が実行する原稿の読取り以降の処理を詳細に説明する。
【００３３】
図５は、本発明の実施の形態１における原稿暗号化処理を示すフローチャートである。図５のフローチャートに示す処理は、予めプログラムとしてたとえばＲＯＭ２０３に格納されており、ＣＰＵ２０２がこのプログラムを読み出して実行することにより、原稿暗号化処理の機能が実現される。
【００３４】
図５を参照して、初めに、原稿をセットするとともに、各種モード設定を行なった上でスタートキーが押下される（ステップＳ１０２）。次に、画像読取部２０６が駆動されて、原稿の読取が実施される（ステップＳ１０４）。
【００３５】
次に、ＣＰＵ２０２は、原稿の地紋情報から、２つの認証情報、すなわち、第１および第２の認証情報を検出する（ステップＳ１０６）。図６は、地紋パターンを構成する埋込パターンの最小単位を示す図である。本実施の形態において、図６のようなブロックセルの所定範囲のうち、たとえば、一部のブロックＢＬ１１が第１の認証情報（読取用パスワード）を表わし、他のブロックＢＬ１２が、第２の認証情報（暗号化用パスワード）を表わしているものとする。
【００３６】
２つの認証情報が検出されたと判断した場合（ステップＳ１０６においてＹＥＳ）、ステップＳ１０８に進む。一方、原稿から２つの認証情報が検出されなかったと判断した場合（ステップＳ１０６においてＮＯ）、ステップＳ１２０に進む。
【００３７】
ステップＳ１２０においては、従来と同様に、ステップＳ１０２で設定されたモードに応じた処理を実行する。
【００３８】
ステップＳ１０６で検出される第１の認証情報は、原稿読取用の認証情報であり、第２の認証情報は、読取った画像データを暗号化する際に使用する認証情報であるものとする。
【００３９】
ステップＳ１０８において、ＣＰＵ２０２は、原稿読取行為に対する認証を行なうために、パスワード（第１の認証情報に相当）を入力させる画面を表示する。図７は、図５のステップＳ１０８で表示される画面の一例を示す図である。図７を参照して、操作パネル部２０９の表示領域２０９１には、読取用パスワードを入力するための領域が表示される。
【００４０】
ＣＰＵ２０２は、操作パネル部２０９の操作ボタン２０９２を介して、ユーザ（原稿読取り操作者）から、原稿読取行為に対するパスワード（第１の認証情報）の入力を受付ける（ステップＳ１１０）。
【００４１】
パスワードが入力されると、ＣＰＵ２０２は、原稿から検出された第１の認証情報と入力されたパスワードとを比較することにより、認証処理を行なう（ステップＳ１１１）。認証が成功した場合、すなわち、原稿から検出された第１の認証情報と入力されたパスワードとが一致した場合（ステップＳ１１２においてＹＥＳ）、ステップＳ１１４に進む。一方、認証が成功しなかった場合、すなわち、原稿から検出された第１の認証情報と入力されたパスワードとが一致しなかった場合（ステップＳ１１２においてＮＯ）、ＣＰＵ２０２は、読込んだ画像データを破棄する処理を実行する（ステップＳ１１８）。
【００４２】
ステップＳ１１４において、ステップＳ１０６で検出された第２の認証情報を用いて画像データの暗号化処理を実行する。このように、ステップＳ１１１およびＳ１１２で使用される認証情報と、ステップＳ１１４で使用される認証情報とは異なる。
【００４３】
最後に、ＣＰＵ２０２は、ステップＳ１０２で設定されたモードに応じた出力処理を実行する。具体的には、指定された宛先へのスキャン送信であったり、指定されたボックスへの格納であったりする。
【００４４】
以上のように、ステップＳ１１６で出力処理された画像データは、ステップＳ１１４で暗号化処理が施されており、閲覧および再利用するためには、暗号化の際に用いた第２の認証情報を知っている必要がある。そのため、原稿読取操作者が、自分のＰＣに画像データを送信した場合でも、暗号化の際に用いた第２の認証情報を知らないので、機密文書を閲覧することができない。
【００４５】
［実施の形態２］
上記実施の形態では、認証処理も画像形成装置１００が実行するものであったが、認証処理をサーバ３００が実行してもよい。このような形態を実施の形態２として説明する。
【００４６】
なお、各装置の基本的な構成および動作は、上記実施の形態１と同じであるので、以下に、実施の形態１と異なる部分のみ説明する。
【００４７】
本実施の形態では、画像形成装置１００で検出する第１の認証情報はパスワード情報そのものでなくてもよく、原稿識別ができる情報でもよい。また、地紋情報でなく、原稿に埋込まれているＩＣチップの情報でもよい。
【００４８】
本実施の形態では、原稿画像より検出される第１の認証情報が原稿識別情報であることとして説明する。なお、その場合、原稿識別情報は、認証に用いられるわけではないので、本来「認証情報」とはいえないが、ここでは、説明の簡単のために、原稿識別情報も、（第１の）認証情報という。
【００４９】
サーバ４００では、原稿に関連した情報（以下「原稿関連情報」という）が蓄積されており、画像形成装置１００より送信されてくる第１の認証情報（原稿識別情報）と入力されたパスワード（第２の認証情報）より、原稿画像の読取処理を継続してよいか否かを判断し、よい場合は、暗号化キー（第３の認証情報）を画像形成装置１００に送り返す。画像形成装置１００は、サーバ４００より送られてきた暗号化キーによって、読取った画像を暗号化処理する。なお、サーバ４００を用いることで、原稿画像に対応した暗号化キーを逐次変更することが可能となり、よりセキュリティを強化することができる。
【００５０】
図８は、サーバ４００のＨＤＤ４０７に記憶される原稿関連情報６００のデータ構造の一例を示す図である。図８を参照して、原稿関連情報６００は、原稿ＩＤ（第１の認証情報）と、パスワード（第２の認証情報）と、暗号化キー（第３の認証情報）とを含み、原稿ごとに、これらのデータが対応付けられて記憶されている。これらの各データは、クライアントＰＣより原稿作成の際に、登録されたデータであるものとする。なお、これらのデータのうち、暗号化キーについては、クライアントＰＣより逐次変更できてもよいし、サーバ４００が所定のタイミングで変更できてもよい。後者の場合、サーバ４００は、暗号化キーを変更した場合には、変更後の暗号化キーの情報を、原稿作成者のクライアントＰＣに対し送信すればよい。
【００５１】
図９は、本発明の実施の形態２における原稿暗号化処理の概略を示すシーケンス図である。
【００５２】
図９を参照して、はじめに、画像形成装置１００は、原稿の読取処理を実行する（ステップＳ３０２）。次に、読取った原稿から、第１の認証情報（原稿識別情報）を検出する（ステップＳ３０４）。図１０は、地紋パターンを構成する埋込パターンの最小単位を示す図である。本実施の形態において、図１０のようなブロックセルの所定範囲のブロックＢＬ２０が、第１の認証情報（原稿識別情報）を表わしているものとする。
【００５３】
次に、操作パネル部２０９の表示領域２０９１にパスワードを入力するための画面を表示する（ステップＳ３０６）。ここでの入力画面についても、図７と同様であってもよい。
【００５４】
読取り操作者よりパスワードが入力されると、画像形成装置１００は、ステップＳ３０６で検出された第１の認証情報とステップＳ３０６で入力されたパスワードとを、ネットワークＩ／Ｆ２０７を介してサーバ４００に送信する。
【００５５】
サーバ４００は、第１の認証情報とパスワードとを受信すると、認証処理を実行する（ステップＳ３０８）。
【００５６】
図１１は、本発明の実施の形態２において、サーバ４００が実行する認証処理を示すフローチャートである。
【００５７】
図１１を参照して、サーバ４００は、ＨＤＤ４０７に記憶された原稿関連情報６００より、第１の認証情報である原稿識別情報に対応するパスワード（第２の認証情報）を読出す（ステップＳ４０２）。次に、サーバ４００は、受信したパスワードと読出したパスワードとを比較することにより、読取り操作者の認証処理を行なう（ステップＳ４０４）。
【００５８】
その結果、サーバ４００は、認証が成功したか否かを判断する（ステップＳ４０６）。認証が成功したと判断した場合（ステップＳ４０６においてＹＥＳ）、原稿識別情報と対応付けられて記憶されていた暗号化キー（第３の認証情報）を画像形成装置１００に送信する（ステップＳ４０８）。
【００５９】
一方、認証が成功しなかったと判断した場合（ステップＳ４０６においてＮＯ）、認証失敗を画像形成装置１００に通知する（ステップＳ４１０）。
【００６０】
ステップＳ４０８またはステップＳ４１０の処理が終わると、メインルーチンに戻る。
再び図７を参照して、画像形成装置１００は、サーバ４００より暗号化キー（第３の認証情報）が送信されると、ステップＳ３０２で読取った原稿の暗号化処理を実行する（ステップＳ３１０）。その後、設定されたモードに応じた出力処理すなわち、送信処理または蓄積処理が実行される（ステップＳ３１２）。
【００６１】
なお、ステップＳ３０８の認証処理において、認証失敗が通知された場合には、実施の形態１と同様に、読取られた画像データは破棄される。
【００６２】
以上のように、本発明の実施の形態１，２によると、機密文書を送信および／または蓄積するユーザ（読取り操作者）が、容易に機密文書を再利用することができなくなる。その結果、機密文書の機密性を従来よりも高くすることができる。
【００６３】
なお、本発明の画像形成装置が行なう、原稿暗号化処理方法を、制御プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００６４】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６６】
提供されるプログラム製品は、ハードディスクなどのプログラム格納部にインストールされて実行される。なお、プログラム製品は、プログラム自体と、プログラムが記憶された記憶媒体とを含む。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６８】
【図１】本発明の各実施の形態における画像形成システムの概略構成を示す図である。
【図２】本発明の各実施の形態における画像形成装置のハードウェア構成を示すブロック図である。
【図３】本発明の各実施の形態における画像形成装置が備える操作パネル部２０９の外観の一例を示す図である。
【図４】本発明の各実施の形態におけるクライアントＰＣおよびサーバのハードウェア構成を示すブロック図である。
【図５】本発明の実施の形態１における原稿暗号化処理を示すフローチャートである。
【図６】本発明の実施の形態１において、地紋パターンを構成する埋込パターンの最小単位を示す図である。
【図７】図５のステップＳ１０８で表示される画面の一例を示す図である。
【図８】本発明の実施の形態２において、サーバのＨＤＤに記憶される原稿関連情報のデータ構造の一例を示す図である。
【図９】本発明の実施の形態２における原稿暗号化処理の概略を示すシーケンス図である。
【図１０】本発明の実施の形態２において、地紋パターンを構成する埋込パターンの最小単位を示す図である。
【図１１】本発明の実施の形態２において、サーバが実行する認証処理を示すフローチャートである。
【符号の説明】
【００６９】
１  画像形成システム、２  ネットワーク、３  記録媒体、１００，１００Ａ  画像形成装置、２０１  制御部、２０２  ＣＰＵ、２０３  ＲＯＭ、２０５  ＨＤＤ部、２０６  画像読取部、２０７  ネットワークＩ／Ｆ、２０８  プリントエンジン、２０９  操作パネル部、２１０  バス、２１３  通信Ｉ／Ｆ、２１５  読取部、２１６  記録媒体、３００Ａ，Ｂ，Ｃ  クライアントＰＣ、３０１，４０１  ＣＰＵ、３０３，４０３  ＲＯＭ、３０５，４０５  ＲＡＭ、３０７，４０７  ＨＤＤ、３０９，４０９  読取部、３１１，４１１  入力部、３１３，４１３  通信部、３１５，４１５  表示部、６００  原稿関連情報。
【図１】
2010004126.tif 000003
【図２】
2010004126.tif 000004
【図３】
2010004126.tif 000005
【図４】
2010004126.tif 000006
【図５】
2010004126.tif 000007
【図６】
2010004126.tif 000008
【図７】
2010004126.tif 000009
【図８】
2010004126.tif 000010
【図９】
2010004126.tif 000011
【図１０】
2010004126.tif 000012
【図１１】
2010004126.tif 000013